(57)【要約】【課題】板状部材の取り付け作業の作業性が向上した電子機器を提供する。【解決手段】板状部材と、板状部材の主面の第１端部側において、板状部材の主面のうちの第１面側に設けられ、板状部材の第１面側への移動を規制する第１固定部と、第１端部側とは反対側の主面の第２端部側において、第１面側に設けられ、板状部材の第１面側への移動を規制し、移動可能な第２固定部と、第１固定部と第２固定部との間において、第１面側とは反対側の第２面側に設けられ、板状部材の第２面側への移動を規制する第３固定部と、主面の広がり方向への、板状部材の移動を規制する規制部と、第１端部側において、板状部材の第２面側に設けられ、第１固定部に向かって傾斜する傾斜面を有するガイドと、を有する。【選択図】図９
2018180070.tif 000002
【特許請求の範囲】
【請求項１】
板状部材と、
前記板状部材の主面の第１端部側において、前記板状部材の前記主面のうちの第１面側に設けられ、前記板状部材の前記第１面側への移動を規制する第１固定部と、
前記第１端部側とは反対側の前記主面の第２端部側において、前記第１面側に設けられ、前記板状部材の前記第１面側への移動を規制し、移動可能な第２固定部と、
前記第１固定部と前記第２固定部との間において、前記第１面側とは反対側の第２面側に設けられ、前記板状部材の前記第２面側への移動を規制する第３固定部と、
前記主面の広がり方向への、前記板状部材の移動を規制する規制部と、
前記第１端部側において、前記板状部材の前記第２面側に設けられ、前記第１固定部に向かって傾斜する傾斜面を有するガイドと、
を有する、電子楽器。
【請求項２】
前記第３固定部は、支持部材と、前記支持部材より柔らかい弾性部材と、を有し、
前記弾性部材は、前記板状部材の前記第２面側への移動を規制する、請求項１に記載の電子楽器。
【請求項３】
前記第２固定部は、係止部と可撓部とを有し、
前記係止部は、前記板状部材を係止することで前記板状部材の前記第１面側への移動を規制し、
前記可撓部が可撓し、前記係止部が前記主面の広がり方向に移動することで、前記板状部材の前記第１面側への移動が可能になる、請求項１または２に記載の電子楽器。
【請求項４】
板状部材と、
前記板状部材の主面の第１端部側において、前記板状部材の前記主面のうちの第１面と接する第１固定部と、
前記第１端部側とは反対側の前記主面の第２端部側において、前記第１面と接し、移動可能な第２固定部と、
前記第１固定部と前記第２固定部との間において、前記第１面側とは反対側の第２面と接する第３固定部と、
前記第１端部側において、前記主面の延長平面上に設けられた第１部材と、
前記第２端部側において、前記主面の延長平面上に設けられた第２部材と、
前記第１端部側において、前記板状部材の前記第２面側に設けられ、前記第１固定部に向かって傾斜する傾斜面を有するガイドと、を有し、
第１方向における前記第１固定部と前記第２部材との間の距離は、前記第１方向における前記板状部材の幅よりも小さい、電子楽器。
【請求項５】
板状部材と、
前記板状部材の主面の第１端部側において、前記板状部材の前記主面のうちの第１面と接する第１固定部と、
前記第１端部側とは反対側の前記主面の第２端部側において、前記第１面と接し、移動可能な第２固定部と、
前記第１固定部と前記第２固定部との間において、前記第１面側とは反対側の第２面と接する第３固定部と、
前記第１端部側において、前記板状部材の前記第２面側に設けられ、前記第１固定部に向かって傾斜する傾斜面を有するガイドと、
突出部と、を有し、
前記板状部材には、前記第２面側に穴が設けられ、
前記突出部は、前記板状部材の前記穴の内側に入り込み、
第１方向における前記第１固定部と前記突出部との距離は、前記第１方向における前記第２面における前記第１端部と前記穴との距離よりも小さい、電子楽器。
【請求項６】
前記第３固定部は、支持部材と、前記支持部材より柔らかい弾性部材と、を有し、
前記弾性部材は、前記第２面と接する、請求項４または５に記載の電子楽器。
【請求項７】
前記第２固定部は、係止部と可撓部とを有し、
前記係止部は、前記第１面と接し、
前記可撓部が可撓することで、前記係止部が前記第１面の外に移動する、請求項４乃至６のいずれか一に記載の電子楽器。
【請求項８】
前記第２固定部は、係止部と可撓部とを有し、
前記係止部は、前記第１面と接し、
前記可撓部は、前記第２部材に接続され、
前記可撓部が可撓することで、前記係止部が前記第１面の外に移動する、請求項４に記載の電子楽器。
【請求項９】
前記第１部材は、前記第１方向において、前記第１端部と前記第２端部との間に設けられる、請求項４に記載の電子楽器。
【請求項１０】
前記第１方向における前記第１固定部と前記第２部材との間の距離は、前記第１方向における前記第１部材と前記第２部材との間の前記板状部材の幅よりも小さい、請求項９に記載の電子楽器。
【請求項１１】
前記板状部材は、回路基板である、請求項１乃至１０のいずれか一項に記載の電子楽器。
【発明の詳細な説明】
【技術分野】
【０００１】
本発明は、電子機器に関する。
【背景技術】
【０００２】
一般に、電子楽器は、押し込み操作される操作子装置（例えば、発音する音高を指定する鍵、音色を選択する押しボタンなど）を備えている。鍵スイッチは、ゴムスイッチと、その下側に配置されたスイッチ基板と、を備えている。また、ゴムスイッチは、鍵ごとに設けられており、それぞれ可動接点を有している。また、スイッチ基板には、鍵ごとにセンサが設けられている。鍵の押鍵動作に応じて、ハンマによりゴムスイッチが押圧されると、可動接点がスイッチ基板のセンサに接触する。これにより、鍵の操作を検出し、検出した内容に応じた信号を出力する。
【０００３】
例えば、特許文献１に、押鍵動作に応じて回動する複数のハンマを支持するハンマ支持部と、回動するハンマで押圧される複数のスイッチを有する鍵スイッチが取り付けられるハンマーサポート（以下、フレームともいう）を有する鍵盤装置の構成が開示されている。フレームは、合成樹脂からなる射出成型品であり、鍵スイッチが有するスイッチ基板は、フレームの基板係止部と方形壁との間に、差し込まれた状態で係止されている。
【先行技術文献】
【特許文献】
【０００４】
【特許文献１】特開２０１３−１４５２７５号公報
【発明の概要】
【発明が解決しようとする課題】
【０００５】
上記構成以外のスイッチ基板の固定の方法として、例えば、スイッチ基板などの板状部材を回転させながら、フレームに固定させる方法も挙げられる。しかしながら、スイッチ基板を回転させる際に、スイッチ基板の端部をあてつける場所によっては、スイッチ基板を回転させることができず、スイッチ基板の取り付け作業の作業性が低下してしまうおそれがある。
【０００６】
上記問題に鑑み、本発明は、板状部材の取り付け作業の作業性が向上した電子機器を提供することを目的の一つとする。
【課題を解決するための手段】
【０００７】
本発明の一実施形態に係る電子機器は、板状部材と、板状部材の主面の第１端部側において、板状部材の主面のうちの第１面側に設けられ、板状部材の第１面側への移動を規制する第１固定部と、第１端部側とは反対側の主面の第２端部側において、第１面側に設けられ、板状部材の第１面側への移動を規制し、移動可能な第２固定部と、第１固定部と第２固定部との間において、第１面側とは反対側の第２面側に設けられ、板状部材の第２面側への移動を規制する第３固定部と、主面の広がり方向への、板状部材の移動を規制する規制部と、第１端部側において、板状部材の第２面側に設けられ、第１固定部に向かって傾斜する傾斜面を有するガイドと、を有する。
【０００８】
上記構成において、第３固定部は、支持部材と、支持部材より柔らかい弾性部材と、を有し、弾性部材は、板状部材の第２面側への移動を規制する。
【０００９】
上記構成において、第２固定部は、係止部と可撓部とを有し、係止部は、板状部材に係止することで板状部材の第１面側への移動を規制し、可撓部が可撓し、係止部が主面の広がり方向に移動することで、板状部材の第１面側への移動が可能になる。
【００１０】
本発明の一実施形態に係る電子機器は、板状部材と、板状部材の主面の第１端部側において、板状部材の主面のうちの第１面と接する第１固定部と、第１端部側とは反対側の主面の第２端部側において、第１面と接し、移動可能な第２固定部と、第１固定部と第２固定部との間において、第１面側とは反対側の第２面と接する第３固定部と、第１端部側において、主面の延長平面上に設けられた第１部材と、第２端部側において、主面の延長平面上に設けられた第２部材と、第１端部側において、板状部材の第２面側に設けられ、第１固定部に向かって傾斜する傾斜面を有するガイドと、を有し、第１方向における第１固定部と第２部材との間の距離は、第１方向における板状部材の幅よりも小さい。
【００１１】
本発明の一実施形態に係る電子機器は、板状部材と、板状部材の主面の第１端部側において、板状部材の主面のうちの第１面と接する第１固定部と、第１端部側とは反対側の主面の第２端部側において、第１面と接し、移動可能な第２固定部と、第１固定部と第２固定部との間において、第１面側とは反対側の第２面と接する第３固定部と、第１端部側において、板状部材の第２面側に設けられ、第１固定部に向かって傾斜する傾斜面を有するガイドと、突出部と、を有し、板状部材には、第２面側に穴が設けられ、突出部は、板状部材の穴の内側に入り込み、第１方向における第１固定部と突出部との距離は、第１方向における第２面における第１端と穴との距離よりも小さい。
【００１２】
上記構成において、第３固定部は、支持部材と、支持部材より柔らかい弾性部材と、を有し、弾性部材は、第２面と接する。
【００１３】
上記構成において、第２固定部は、係止部と可撓部とを有し、係止部は、第１面と接し、可撓部が可撓することで、係止部が第１面の外に移動する。
【００１４】
上記構成において、第２固定部は、係止部と可撓部とを有し、係止部は、第１面と接し、可撓部は、第２部材に接続され、可撓部が可撓することで、係止部が第１面の外に移動する。
【００１５】
上記構成において、第１部材は、第１方向において、第１端部と第２端部との間に設けられる。
【００１６】
上記構成において、第１方向における第１固定部と第２部材との間の距離は、第１方向における第１部材と第２部材との間の板状部材の幅よりも小さい。
【００１７】
上記構成において、板状部材は、回路基板である。
【発明の効果】
【００１８】
本発明によれば、板状部材の取り付け作業の作業性が向上した電子機器を提供することができる。
【図面の簡単な説明】
【００１９】
【図１】本発明の一実施形態における電子機器の構成を示す図である。
【図２】本発明の一実施形態における音源装置の構成を示すブロック図である。
【図３】本発明の一実施形態における筐体内部の構成を側面から見た場合の説明図である。
【図４】本発明の一実施形態における鍵盤アセンブリを上面から見た場合の説明図である。
【図５】本発明の一実施形態におけるフレームの詳細な構造を説明する斜視図である。
【図６】本発明の一実施形態におけるフレームを下面から見た場合の説明図である。
【図７】本発明の一実施形態におけるフレームの一部を拡大した図。
【図８】本発明の一実施形態におけるフレームの詳細な構造を説明する斜視図である。
【図９】図７において一点鎖線Ａ１−Ａ２線で切断したときの断面図である。
【図１０】図７において一点鎖線Ｂ１−Ｂ２線で切断したときの断面図である。
【図１１Ａ】図７において一点鎖線Ａ１−Ａ２線で切断したときの断面図である。
【図１１Ｂ】図７において一点鎖線Ｂ１−Ｂ２線で切断したときの断面図である。
【図１２Ａ】図７において一点鎖線Ａ１−Ａ２線で切断したときの断面図である。
【図１２Ｂ】図７において一点鎖線Ｂ１−Ｂ２線で切断したときの断面図である。
【図１３Ａ】図７において一点鎖線Ａ１−Ａ２線で切断したときの断面図である。
【図１３Ｂ】図７において一点鎖線Ｂ１−Ｂ２線で切断したときの断面図である。
【図１４Ａ】図７において一点鎖線Ａ１−Ａ２線で切断したときの断面図である。
【図１４Ｂ】図７において一点鎖線Ｂ１−Ｂ２線で切断したときの断面図である。
【図１５】図７において一点鎖線Ｂ１−Ｂ２線で切断したときの断面図である。
【図１６】図７において一点鎖線Ｂ１−Ｂ２線で切断したときの断面図である。
【図１７】図７において一点鎖線Ｂ１−Ｂ２線で切断したときの断面図である。
【図１８】図７において一点鎖線Ａ１−Ａ２線で切断したときの断面図である。
【発明を実施するための形態】
【００２０】
以下、本発明の一実施形態における電子機器について、図面を参照しながら詳細に説明する。以下に示す実施形態は本発明の実施形態の一例であって、本発明はこれらの実施形態に限定して解釈されるものではない。なお、本実施形態で参照する図面において、同一部分または同様な機能を有する部分には同一の符号または類似の符号（数字の後にＡ、Ｂ等を付しただけの符号）を付し、その繰り返しの説明は省略する場合がある。また、図面の寸法比率（各構成間の比率、縦横高さ方向の比率等）は説明の都合上実際の比率とは異なったり、構成の一部が図面から省略されたりする場合がある。
【００２１】
＜第１実施形態＞
［電子機器の構成］
図１は、本発明の一実施形態における電子機器の構成を示す図である。電子機器１は、この例では、電子ピアノなどユーザ（演奏者）の押鍵に応じて発音する電子鍵盤楽器である。なお、電子機器１は、外部の音源装置を制御するための制御データ（例えば、ＭＩＤＩ）を、押鍵に応じて出力する鍵盤型のコントローラであってもよい。この場合には、電子機器１は、音源装置を有していなくてもよい。
【００２２】
電子機器１は、鍵盤アセンブリ１０を備える。鍵盤アセンブリ１０は、白鍵１００ｗおよび黒鍵１００ｂを含む。鍵盤アセンブリ１０には、複数の白鍵１００ｗと黒鍵１００ｂとが並んで配列されている。鍵１００の数は、Ｎ個であり、この例では８８個である。複数の白鍵１００ｗおよび黒鍵１００ｂが配列された方向をスケール方向という。白鍵１００ｗおよび黒鍵１００ｂを特に区別せずに説明できる場合には、鍵１００という場合がある。以下の説明においても、符号の最後に「ｗ」を付した場合には、白鍵に対応する構成であることを意味している。また、符号の最後に「ｂ」を付した場合には、黒鍵に対応する構成であることを意味している。
【００２３】
鍵盤アセンブリ１０の一部は、筐体９０の内部に存在している。換言すると、筐体９０は、白鍵１００ｗおよび黒鍵１００ｂの一部を覆う。電子機器１を上方から見た場合において、鍵盤アセンブリ１０のうち筐体９０に覆われている部分を非外観部ＮＶといい、筐体９０から露出してユーザから視認できる部分を外観部ＰＶという。すなわち、外観部ＰＶは、鍵１００の一部であって、ユーザによって演奏操作が可能な領域を示す。以下、鍵１００のうち外観部ＰＶによって露出されている部分を鍵本体部という場合がある。
【００２４】
筐体９０内部には、音源装置７０およびスピーカ８０が配置されている。音源装置７０は、鍵１００の押下に伴って音波形信号を生成する。スピーカ８０は、音源装置７０において生成された音波形信号を外部の空間に出力する。なお、電子機器１は、音量をコントロールするためのスライダ、音色を切り替えるためのスイッチ、様々な情報を表示するディスプレイなどが備えられていてもよい。
【００２５】
なお、本明細書における説明において、上、下、左、右、手前および奥などの方向は、演奏するときの演奏者から電子機器１を見た場合の方向を示している。そのため、例えば、非外観部ＮＶは、外観部ＰＶよりも奥側に位置している、と表現することができる。また、鍵前端側（鍵前方側）、鍵後端側（鍵後方側）のように、鍵１００を基準として方向を示す場合もある。この場合、鍵前端側は鍵１００に対して演奏者から見た手前側を示す。鍵後端側は鍵１００に対して演奏者から見た奥側を示す。この定義によれば、黒鍵１００ｂのうち、黒鍵１００ｂの鍵本体部の前端から後端までが、白鍵１００ｗよりも上方に突出した部分である、と表現することができる。
【００２６】
図２は、本発明の一実施形態における音源装置の構成を示すブロック図である。音源装置７０は、信号変換部７１０、音源部７３０および出力部７５０を備える。センサ３００は、各鍵１００に対応して設けられ、鍵の操作を検出し、検出した内容に応じた信号を出力する。この例では、センサ３００は、３段階の押鍵量に応じて信号を出力する。この信号の間隔に応じて押鍵速度が検出可能である。
【００２７】
信号変換部７１０は、センサ３００（８８の鍵１００に対応したセンサ３００−１、３００−２、・・・、３００−８８）の出力信号を取得し、各鍵１００における操作状態に応じた操作信号を生成して出力する。この例では、操作信号はＭＩＤＩ形式の信号である。そのため、押鍵操作に応じて、信号変換部７１０はノートオンを出力する。このとき、８８個の鍵１００のいずれが操作されたかを示すキーナンバ、および押鍵速度に対応するベロシティについてもノートオンに対応付けて出力される。一方、離鍵操作に応じて、信号変換部７１０はキーナンバとノートオフとを対応付けて出力する。信号変換部７１０には、ペダル等の他の操作に応じた信号が入力され、操作信号に反映されてもよい。
【００２８】
音源部７３０は、信号変換部７１０から出力された操作信号に基づいて、音波形信号を生成する。出力部７５０は、音源部７３０によって生成された音波形信号を出力する。この音波形信号は、例えば、スピーカ８０または音波形信号出力端子などに出力される。
【００２９】
［鍵盤アセンブリの構成］
図３は、本発明の一実施形態における筐体内部の構成を側面から見た場合の説明図である。以下の説明では、白鍵１００ａについて説明するが、説明の便宜上、単に鍵１００という。図３に示すように、筐体９０の内部において、鍵盤アセンブリ１０およびスピーカ８０が配置されている。スピーカ８０は、鍵盤アセンブリ１０の奥側に配置されている。このスピーカ８０は、押鍵に応じた音を筐体９０の上方および下方に向けて出力するように配置されている。下方に出力される音は、筐体９０の下面側から外部に進む。一方、上方に出力される音は筐体９０の内部から鍵盤アセンブリ１０の内部の空間を通過して、外観部ＰＶにおける鍵１００の隣接間の隙間または鍵１００と筐体９０との隙間から外部に進む。
【００３０】
鍵盤アセンブリ１０の構成について、図３を用いて説明する。鍵盤アセンブリ１０は、上述した鍵１００の他にも、接続部１８０、ハンマアセンブリ２００およびフレーム５００を含む。フレーム５００は、合成樹脂からなる成型射出品である。また、フレーム５００は、支持部５７２と複数のボス５７０とによって、筐体９０に固定されている。接続部１８０は、フレーム５００に対して回動可能に鍵１００を接続する。接続部１８０は、板状可撓性部材１８１、鍵側支持部１８３および棒状可撓性部材１８５を備える。板状可撓性部材１８１は、鍵１００の後端から延在している。鍵側支持部１８３は、板状可撓性部材１８１の後端から延在している。棒状可撓性部材１８５は、鍵側支持部１８３およびフレーム５００のフレーム側支持部５８５を連結している。すなわち、鍵１００とフレーム５００との間に、棒状可撓性部材１８５が配置されている。棒状可撓性部材１８５が曲がることによって、鍵１００がフレーム５００に対して回動することができる。棒状可撓性部材１８５は、鍵側支持部１８３とフレーム側支持部５８５とに対して、着脱可能に構成されている。鍵盤アセンブリ１０は、ほとんどの構成が射出成形などによって製造された樹脂製の構造体である。なお、棒状可撓性部材１８５は、鍵側支持部１８３とフレーム側支持部５８５と一体となって、または接着等により、着脱できない構成であってもよい。
【００３１】
鍵１００は、前端鍵ガイド１５１及び、側面鍵ガイド１５３を備える。前端鍵ガイド１５１は、前端鍵フレームガイド５１１を覆った状態で摺動可能に接触している。換言すると、前端鍵ガイド１５１は、その上部と下部のスケール方向の両側において、前端鍵フレームガイド５１１と接触している。
【００３２】
側面鍵ガイド１５３は、スケール方向の両側において側面フレームガイド５１３と摺動可能に接触している。この例では、側面鍵ガイド１５３は、鍵１００の側面のうち非外観部非外観部ＮＶに対応する領域に配置され、接続部１８０（板状可撓性部材１８１）よりも鍵前端側に存在するが、外観部ＰＶに対応する領域に配置されてもよい。
【００３３】
ハンマアセンブリ２００は、フレーム５００に対して回動可能に取り付けられている。このときハンマアセンブリ２００の軸支持部２２０とフレーム５００の回動軸５２０とは少なくとも３点で摺動可能に接触する。ハンマアセンブリ２００の前端部２１０は、ハンマ支持部１２０の内部空間において概ね前後方向に摺動可能に接触する。この摺動部分、すなわち前端部２１０とハンマ支持部１２０とが接触する部分は、外観部ＰＶ（鍵本体部の後端よりも鍵前端側）における鍵１００の下方に位置する。
【００３４】
ハンマアセンブリ２００は、回動軸よりも奥側において、金属製の錘部２３０を備えている。通常時（押鍵していないとき）には、錘部２３０が下側ストッパ４１０に載置された状態であり、ハンマアセンブリ２００の前端部２１０が、鍵１００を押し戻している。押鍵されると、錘部２３０が上方に移動し、上側ストッパ４３０に衝突する。ハンマアセンブリ２００は、この錘部２３０によって、押鍵に対して加重を与える。下側ストッパ４１０および上側ストッパ４３０は、緩衝材等（不織布、弾性体等）で形成されている。
【００３５】
フレーム５００には、板状部材である回路基板４００が設けられている。回路基板４００は、断面視において、筐体９０の載置面に対して平行となるように設けられている。回路基板４００には、鍵１００に対応するセンサ３００が設けられている。また、回路基板４００上には、ゴムスイッチ２１１が設けられている。ゴムスイッチ２１１のドーム状の膨出部が、各鍵１００に対応して設けられている。膨出部の内部には可動接点が設けられている。この可動接点が、回路基板４００のセンサ３００に接触又は離れることが可能なように離間して対向している。鍵１００の押鍵動作に応じて、ハンマアセンブリ２００によって膨出部が押圧されたときに、膨出部が弾性変形して可動接点が回路基板４００のセンサ３００に接触する。これにより、図２に示す信号変換部７１０からノートオンが出力される。
【００３６】
なお、以下の説明においては、板状部材として回路基板４００を例にして説明するが、本発明はこれに限定されない。例えば、ゴムスイッチに接点がなく、反力発生のみをさせる部材の場合、当該部材を支えるために使用する板状部材も含む。また、板状部材は、フレームの一部であってもよいし、別の部材などであってもよい。また、板状部材は、合成樹脂であってもよいし、金属であってもよい。
【００３７】
図３に示すように、壁部５５２の底面及びボス５７０の底面は、回路基板４００の高さよりも低い位置に設けられており、また、ボス５７０の底面は、壁部５５２の底面よりも低い位置に設けられている。そのため、鍵１００の前方において、筐体９０と、フレーム５００とによって、空間を形成することができる。
【００３８】
図４は、本発明の一実施形態における鍵盤アセンブリを上面から見た場合の説明図である。図４に示すように、黒鍵１００ｂの鍵側支持部１８３ｂは、白鍵１００ｗの鍵側支持部１８３ｗよりも鍵後端側に配置される。この位置は、鍵１００の回動中心となる棒状可撓性部材１８５ｗ、１８５ｂの位置に関連する。このような配置にすることによって、アコースティックピアノの白鍵と黒鍵の回動中心の違いを再現している。この例では、黒鍵１００ｂに対応する板状可撓性部材１８１ｂが、白鍵１００ｗに対応する板状可撓性部材１８１ｗよりも長い。
【００３９】
なお、図４においては、鍵１００の下方に位置するハンマアセンブリ２００およびフレーム５００の構成は、その一部を省略して記載している。具体的には、接続部１８０近傍のフレーム５００の構成（フレーム側支持部５８５など）を記載し、手前側の構成等の一部については記載を省略している。他の説明においても、図示の際に一部の記載を省略することがある。
【００４０】
［フレームの構造］
図５は、本発明の一実施形態におけるフレームの詳細な構造を説明する斜視図である。図５は、フレーム５００の正面に向かって左上から見た場合の斜視図である。フレーム５００は、リブ５４０、壁部５４２、支柱５４４、リブ５５０、リブ５５１、壁部５５２、リブ５５３、および壁部５５４を備える。リブおよび壁部はともに板状部材である。また、リブは、第１方向に延びており、壁部は、第１方向と交差する第２方向に延びている。リブは、例えば、鍵１００の長手方向に平行な方向に延びた板状部材であり、壁部は鍵１００の長手方向に直交する方向に延びた板状部材である。
【００４１】
リブ５４０は、隣接して配置されるハンマアセンブリ２００の間に設けられている。換言すると、リブ５４０によって区切られた空間に、ハンマアセンブリ２００が配置される。複数のリブ５４０は、支柱５４４および壁部５４２によって連結されている。また、壁部５５２は、壁部５４２と平行する方向に延びた板状部材である。また、壁部５５２は、壁部５４２と対向する位置に設けられている。壁部５５２と壁部５４２とは、リブ５５０およびリブ５５１によって接続されている。また、壁部５５２は、壁部５５４に接続されている。なお、本明細書等においては、リブ５６５及びリブ５６６が第１方向に延びている例について示すが、本発明はこれに限定されない。リブ５６５とリブ５６６とが平行に延びていてもよいし、平行に延びていなくてもよい。
【００４２】
図６は、本発明の一実施形態におけるフレームの詳細な構造を説明する図である。図６では、フレーム５００を下から見た場合の平面図である。フレーム５００は、リブ５６５、リブ５６６、位置決め用凸部５６１、ボス５７０、及びボス５７１をさらに備える。
【００４３】
フレーム５００には、回路基板４００が設けられており、回路基板４００には、左右の位置決め用の凹部５６７が設けられている。また、壁部５５２に設けられた位置決め用凸部５６１は、回路基板４００の左右に対する位置決めをする機能を有する。具体的には、回路基板４００に設けられた凹部を、位置決め用凸部５６１に嵌め込むことで、回路基板４００の左右に対する位置決めをすることができる。
【００４４】
リブ５６５は、隣接するハンマアセンブリの間に設けられており、リブ５６６は、隣接するハンマアセンブリの間に設けられている。また、リブ５６５及びリブ５６６は、壁部５４２によって連結されている。また、リブ５６５は、リブ５５３の延長線上に配置されており、リブ５６６は、リブ５５０の延長線上に配置されている。そして、壁部５４２は、リブ５６５とリブ５６６とを連結している。
【００４５】
次に、図７に、図６に示すフレーム５００の一部５１０を拡大した図を示す。フレーム５００は、固定部５５７、可撓部５５８、及び係止部５５９を有する。また、フレーム５００は、保持部５５５、保持部５５６を有する。保持部５５５は、壁部５４２に設けられており、保持部５５６は、壁部５５２に設けられている。また、保持部５５６には、ガイド５７３が設けられている。また、壁部５４２に可撓部５５８が設けられており、可撓部５５８に係止部５５９が接続されている。また、壁部５５２に、固定部５５７が設けられている。回路基板４００は、保持部５５５と保持部５５６とによって、フレーム５００の前後方向に固定されている。また、固定部５５７と係止部５５９とによって、回路基板４００が下方へ移動することを規制している。
【００４６】
図７において、可撓部５５８が壁部５４２に設けられている例について示すが、本発明はこれに限定されない。可撓部５５８が設けられる部材は、壁状のものでなくてもよい。例えば、可撓部５５８は、リブ５４０に可撓部５５８を設けることもできる。
【００４７】
また、図７において、固定部５５７が、壁部５５２に設けられている例について示すが、本発明はこれに限定されない。固定部５５７が設けられる部材は、壁状のものでなくてもよい。例えば、固定部５５７は、図３に示す部材５７６に設けることもできる。
【００４８】
本発明に係る実施形態では、保持部５５６にガイド５７３が設けられる例について示すが、これに限定されない。例えば、壁部５５２にガイド５７３が設けられていてもよい。また、ガイド５７３は、リブ５５０や、リブ５５１などに設けられていてもよい。
【００４９】
リブ５６５の延長線上に、ボス５７０及び保持部５５５が設けられている。また、保持部５５６は、リブ５６５の延長線上で、かつ保持部５５５に対向する位置に配置されている。図７においては、保持部５５６がリブ５６５の延長線上で、保持部５５５と対向する場合について示しているが、本発明はこれに限定されない。保持部５５５及び保持部５５６の少なくとも一方が、リブ５６５の延長線上に配置されていてもよい。保持部５５５及び保持部５５６の少なくとも一方が、リブ５６５の延長線上に配置されていていることにより、回路基板４００の前後方向に対する位置決め精度が向上する。
【００５０】
また、可撓部５５８は、リブ５６５の延長線上で重ならない位置に配置されている。そして、固定部５５７は、リブ５６５の延長線上で重ならない位置に配置されている。
【００５１】
図８に、フレーム５００を左下から見た場合の斜視図を示す。フレーム５００は、対となる保持部を複数有している。図８においては、保持部５５５と保持部５５６が対になっており、保持部５６２と保持部５６３とが対になっている。このように、対となる保持部を一定の間隔でフレーム５００に設けることにより、回路基板４００の前後方向に対する位置決め精度が向上する。
【００５２】
図９に、図７における一点鎖線Ａ１−Ａ２線で切断したときの断面図を示す。図９において、鍵盤アセンブリ１０は上方に配置される。図９では、Ａ１側が鍵盤アセンブリ１０の前側になり、Ａ２側が鍵盤アセンブリ１０の後側になる。また、図１０に、図７における一点鎖線Ｂ１−Ｂ２線で切断したときの断面図を示す。図１０において、鍵盤アセンブリ１０は上方に配置される。図１０では、Ｂ１側が鍵盤アセンブリ１０の前側になり、Ｂ２側が鍵盤アセンブリ１０の後側になる。
【００５３】
図９及び図１０に示すように、第１固定部（固定部５５７）は、回路基板４００の主面の端部５６８側において、回路基板４００の主面のうち、第１面５８１側に設けられ、回路基板４００の下方（第１面５８１側）から回路基板４００と接することで回路基板４００の第１面５８１側への移動を規制する。また、第２固定部（係止部５５９及び可撓部５５８）は、端部５６８側とは反対側の主面の端部５６９側において、第１面５８１側に設けられ、回路基板４００の第１面５８１側から回路基板４００と接することで回路基板４００の第１面５８１側への移動を規制する。また、第３固定部（膨出部２２２、ゴムシート２２３）は、第１固定部と第２固定部との間において、第１面５８１側とは反対側の第２面５８２側に設けられ、回路基板４００の第２面５８２側から回路基板４００と接することで回路基板４００の第２面５８２側への移動を規制する。規制部（例えば、後述する第１部材及び第２部材）は、回路基板４００の主面の広がり方向への、回路基板４００の移動を規制する機能を有する。なお、本明細書等において、主面とは、回路基板４００の第１面５８１及び第２面５８２を指す。
【００５４】
係止部５５９は、回路基板４００に係止することで回路基板４００の第１面５８１側への移動を規制する。また、可撓部５５８が可撓し、係止部５５９が主面の広がり方向に移動することで、回路基板４００の第１面５８１側への移動が可能になる。また、可撓部５５８は、規制部（壁部５４２）と接続されている。なお、第２固定部は、係止部５５９及び可撓部５５８として説明するが、第２固定部は、ネジ留めであってもよい。
【００５５】
本実施形態では、壁部５４２、可撓部５５８、及び係止部５５９は、フレーム５００として、一体で形成される場合について説明するが、本発明はこれに限定されない。可撓部５５８及び係止部５５９をそれぞれ別の材料で形成し、壁部５４２に接着していてもよい。
【００５６】
また、第３固定部は、支持部材（リブ５５０）と、支持部材より柔らかい弾性部材（ゴムスイッチ２１１）と、を有しており、弾性部材は、回路基板４００への移動を規制する。
【００５７】
また、ガイド５７３は、端部５６８側において回路基板４００の第２面５８２に設けられ、第１固定部に向かって傾斜する傾斜面を有している。図１０においては、ガイド５７３が有する傾斜面は、曲面で構成されている例を示すが、平面で形成されていてもよい。また、図１０においては、ガイド５７３は、保持部５５６に設けられている例を示すが、本発明はこれに限定されない。ガイド５７３は、保持部５５６とは、別の領域に設けられていてもよい。
【００５８】
このようなガイド５７３を有することにより、回路基板４００の一方の端部５６８をガイド５７３の傾斜面に沿って滑らせることで、回路基板４００を回転させて、第１固定部及び第２固定部と、第３固定部との間に固定することができる。
【００５９】
ゴムスイッチ２１１の膨出部２２２は、各鍵１００に対応して設けられている。この膨出部２２２内に可動接点が設けられている。可動接点は、回路基板４００のセンサ３００に接触又は離れることが可能なように離間して対向している。鍵１００の押鍵動作に応じて、ハンマアセンブリ２００によって、ゴムスイッチ２１１の膨出部２２２が押圧されたときに、膨出部２２２が弾性変形して可動接点がセンサ３００に接触する。これにより、図２に示す信号変換部７１０からノートオンが出力される。
【００６０】
また、回路基板４００の端部５６８側において、主面の延長平面上に設けられた第１部材（壁部５５２及び保持部５５６）と、回路基板４００の端部５６９側において、主面の延長平面上に設けられた第２部材（壁部５４２及び保持部５５５）と、を有している。なお、本明細書等において、延長平面とは、第１面５８１又は第２面５８２における一方の端部５６８と他方の端部５６９を越した仮想平面である。第１部材及び第２部材は回路基板４００の主面の広がり方向への回路基板４００の移動を規制するため、これらを規制部と呼ぶ場合がある。第１部材及び第２部材は回路基板４００の上記方向への移動を規制すればよく、第１部材として、保持部５５６が含まれなくてもよいし、第２部材として、保持部５５５が含まれなくてもよい。また、図１０では、第１部材及び第２部材が対面している。つまり、第１部材及び第２部材は紙面奥行き方向（スケール方向）に同じ位置に設けられている。ただし、第１部材及び第２部材が紙面奥行き方向（スケール方向）に異なる位置に設けられていてもよい。
【００６１】
また、図９に示すように、第１方向（回路基板４００の幅方向Ｄ１）における第１固定部と第２固定部との距離Ｌ１は、第１方向における回路基板４００の幅Ｌ２よりも小さくなるように、第１固定部及び第２固定部が配置されている。なお、距離Ｌ１とは、第１方向Ｄ１における、図９に示す固定部５５７から図１０に示す保持部５５５までの距離である。Ｌ１とＬ２との関係が、Ｌ１＜Ｌ２となるため、回路基板４００の回転取り付けが必要となる。
【００６２】
次に、回路基板４００を回転させてフレーム５００に取り付ける方法について、図６、図１１Ａ乃至図１４Ｂを参照して説明する。図１１Ａ、図１２Ａ、図１３Ａ、及び図１４Ａに、図７におけるＡ１−Ａ２線に沿った断面図を示す。また、図１１Ｂ、図１２Ｂ、図１３Ｂ、及び図１４Ｂに、図７におけるＢ１−Ｂ２線に沿った断面図を示す。
【００６３】
まず、図６に示すフレーム５００に設けられた位置決め用凸部５６１に、回路基板４００の凹部５６７を嵌め込むことで、回路基板４００の左右に対する位置決めを行う。
【００６４】
図１１Ａに示すように、回路基板４００の一方の端部５６８を、壁部５５２に設けられた固定部５５７に差し込む。このとき、図１１Ｂに示すように、回路基板４００の一方の端部５６８は、保持部５５６に斜め下から突き当てられた状態になる。次に、図１１Ａ及び図１１Ｂに示すように、回路基板４００の他方の端部５６９を、回路基板４００の一方の端部５６８の点を軸として回転させて、回路基板４００の他方の端部５６９をリブ５５０に向かって押し上げる。
【００６５】
次に、図１２Ａに示すように、回路基板４００の他方の端部５６９は、係止部５５９の傾斜面に突き当たる。回路基板４００の他方の端部５６９を係止部５５９の傾斜面に突き当てたまま、リブ５５０に向かって押し上げると、回路基板４００の他方の端部５６９によって、係止部５５９の傾斜面には矢印の方向に力が加わる。さらに回路基板４００の他方の端部５６９をリブ５５０に向かって押し上げると、係止部５５９に接続された可撓部５５８が、壁部５４２側に向かって撓む。また、図１２Ｂに示すように、回路基板４００が回転するにつれて、回路基板４００の一方の端部５６８は、ガイド５７３の傾斜面を矢印の向きに滑ってずれていく。同時に、回路基板４００の他方の端部５６９は、矢印の向きに移動する。
【００６６】
図１３Ａに示すように、回路基板４００の他方の端部５６９を、係止部５５９の傾斜面に突き当てたまま、リブ５５０に向かって押し上げる。すると、回路基板４００が、ゴムシート２２３の端部に接する。ゴムシート２２３の端部５６０を支点として、回路基板４００をさらに、リブ５５０に向かって押し上げる。また、図１３Ｂでは、回路基板４００の一方の端部５６８は、さらにガイド５７３の傾斜面を矢印の向きに滑ってずれていく。同時に、回路基板４００の他方の端部５６９は、矢印の向きに移動する。
【００６７】
図１４Ａに示すように、さらに、リブ５５０に向かって押し上げて、回路基板４００が係止部５５９を超えると、壁部５４２側に撓んでいた可撓部５５８が復元して、壁部５５２側に戻る。回路基板４００の下に、係止部５５９が入り込むことで、回路基板４００は、係止部５５９によって固定される。また、回路基板４００の下に、係止部５５９が入り込むことで、回路基板４００が下方への移動することを規制できる。また、図１４Ｂに示すように、回路基板４００を、保持部５５５と保持部５５６との間で保持することができる。これにより、回路基板４００を、鍵１００の前後方向に固定することができる。
【００６８】
例えば、フレーム５００に、回路基板４０９の端部をあてつける場所によっては、回路基板４００を回転させることができず、スイッチ基板の取り付け作業の作業性が低下してしまうおそれがある。
【００６９】
本実施形態では、ガイド５７３となる傾斜面が設けられている。これにより、回路基板４００の一方の端部５６８を、ガイド５７３の傾斜面の曲面に沿って下方にガイドしながら回路基板４００を回転させることができる。また、回路基板４００をフレーム５００に嵌め込む際に、回路基板４００がゴムシート２２３に当たり押し付けられる前に、回路基板４００を回転させることができる。これにより、回路基板４００の回転取り付け作業の作業性を向上させることができる。
【００７０】
また、回路基板４００と共にゴムシート２２３を設ける場合であっても、回路基板４００が回転して、平行な状態で回路基板４００がゴムシート２２３に押し付けられるため、ゴムシート２２３に横向きの力が加わることを抑制することができる。これにより、ゴムシート２２３がよじれてしまうことを抑制することができる。よって、回路基板４００に設けられたセンサ３００の位置と、ゴムスイッチ２１１における可動接点との位置を合わせることができるため、演奏者の鍵１００の操作を精密に検出することができる。
【００７１】
ガイド５７３は、壁部５５２に向かって傾斜面を有している。これにより、回路基板４００の他方の端部５６９を下からリブ５５０に向かって回転させる際に、ガイドとして機能させることができる。つまり、回路基板４００の他方の端部５６９をガイド５７３の傾斜面に沿って滑らせることで、保持部５５５と保持部５５６との間に、回路基板４００を嵌め込むことができる。
【００７２】
［フレームの構造の変形例１］
次に、本実施形態に係るフレーム５００の他の形態について、図１５に示す。
【００７３】
図１５は、図７に示すフレーム５００の断面図である。図１５は、フレーム５００のＢ１−Ｂ２線に沿った断面図に相当する。また、図１５は、回路基板４００を回転させて、フレーム５００に固定した後の図である。なお、図１５において、上述したフレーム５００と同様の構成については詳細な説明を省略する。また、図１５において、ゴムスイッチ２１１の図示を省略している。
【００７４】
図１５に示すフレーム５００は、図１０に示すフレーム５００と一部異なる構成を有している。図１５に示すように、ガイド５７４は、固定部５５７に向かう傾斜面を有している。また、ガイド５７４の傾斜面は、平面で構成されている。これにより、回路基板４００の一方の端部５６８を、ガイド５７４の平面に沿って下方にガイドしながら回路基板４００を回転させることができる。これにより、回路基板４００の回転取り付け作業の作業性を向上させることができる。
【００７５】
また、回路基板４００と共にゴムシート２２３を設ける場合であっても、回路基板４００が回転して、平行な状態で回路基板４００がゴムシート２２３に押し付けられるため、ゴムシート２２３に横向きの力が加わることを抑制することができる。これにより、ゴムシート２２３がよじれてしまうことを抑制することができる。よって、回路基板４００に設けられたセンサ３００の位置と、ゴムスイッチ２１１における可動接点との位置を合わせることができるため、演奏者の鍵１００の操作を精密に検出することができる。
【００７６】
［フレームの構造の変形例２］
次に、本実施形態に係るフレーム５００の他の形態について、図１６乃至図１８に示す。図１６乃至図１８に示す構成においては、第１乃至第３固定部を有する点においては、上記にて説明した構成と同様である。
【００７７】
図１６に、図７におけるＢ１−Ｂ２線に沿った断面図を示す。図１６に、支持部材から突出部５７５が設けられている例を示す。突出部５７５は、回路基板４００の穴５８３の内側に入り込んでいる。これにより、回路基板４００が、主面の広がり方向に移動することを規制することができる。また、第１方向Ｄ１（回路基板４００の幅方向）における固定部５５７と、突出部５７５との距離Ｌ１は、第１方向における回路基板４００の一方の端部５６８から一方の端部５６８に近い側の穴５８３の内壁までの距離Ｌ２よりも小さい。Ｌ１とＬ２との関係が、Ｌ１＜Ｌ２となるため、回路基板４００の回転取り付けが必要となる。
【００７８】
図１７に、図７におけるＢ１−Ｂ２線に沿った断面図を示す。図１７に、リブ５５０から突出部５７５が設けられている例を示す。突出部５７５は、回路基板４００の穴５８３の内側に入り込んでいる。また、第１方向Ｄ１（回路基板４００の幅方向）における固定部５５７と、突出部５７５との距離Ｌ１は、第１方向における回路基板４００の一方の端部５６８から一方の端部５６８に近い側の穴５８３の内壁までの距離Ｌ２よりも小さい。Ｌ１とＬ２との関係が、Ｌ１＜Ｌ２となるため、回路基板４００の回転取り付けが必要となる。
【００７９】
図１８に、図７におけるＡ１−Ａ２線に沿った断面図を示す。図１８に、回路基板４００の一方の端部５６８が、固定部５５７よりも係止部５５９の反対側（外側）にある例を示す。図１８に示すように、壁部５５２は、第１方向Ｄ１において、一方の端部５６８と他方の端部５６９との間に設けられる。また、図１８に示すように、第１方向Ｄ１における固定部５５７と壁部５４２及び保持部５５５（図１０参照）との間の距離Ｌ１は、第１方向Ｄ１における壁部５４２及び保持部５５５（図１０参照）と、壁部５５２及び保持部５５６（図１０参照）との間の回路基板４００の幅Ｌ２よりも小さい。図１８に示す構成においても、Ｌ１とＬ２との関係が、Ｌ１＜Ｌ２となるため、回路基板４００の回転取り付けが必要となる。なお、図１８では、回路基板４００が壁部５５２の外側に拡張された構成を例示したが、回路基板４００が壁部５４２の外側に拡張されていてもよい。
【００８０】
なお、本発明は上記の実施形態に限られたものではなく、趣旨を逸脱しない範囲で適宜変更することが可能である。
【符号の説明】
【００８１】
１：電子機器、１０：鍵盤アセンブリ、７０：音源装置、８０：スピーカ、９０：筐体、１００：鍵、１００ａ：白鍵、１００ｂ：黒鍵、１００ｗ：白鍵、１２０：ハンマ支持部、１５１：前端鍵ガイド、１５３：側面鍵ガイド、１８０：接続部、１８１：板状可撓性部材、１８１ｂ：板状可撓性部材、１８１ｗ：板状可撓性部材、１８３：鍵側支持部、１８３ｂ：鍵側支持部、１８３ｗ：鍵側支持部、１８５  棒状可撓性部材、１８５ｂ：棒状可撓性部材、１８５ｗ：棒状可撓性部材、２００：ハンマアセンブリ、２１０：前端部、２１１：ゴムスイッチ、２２０：軸支持部、２２２：膨出部、２２３：ゴムシート、２３０：錘部、３００：センサ、３００−１：センサ、３００−２：センサ、３００−８８：センサ、４００：回路基板、４１０：下側ストッパ、４３０：上側ストッパ、５００：フレーム、５１０：一部、５１１：前端鍵フレームガイド、５１３：側面フレームガイド、５２０：回動軸、５４０：リブ、５４２  壁部、５４４：支柱、５５０：リブ、５５１：リブ、５５２：壁部、５５３：リブ、５５４：壁部、５５５：保持部、５５６：保持部、５５７：固定部、５５８：可撓部、５５９：係止部、５６０：端部、５６１：位置決め用凸部、５６２：保持部、５６３：保持部、５６５：リブ、５６６：リブ、５６７：凹部、５６８：端部、５６９：端部、５７０：ボス、５７１：ボス、５７２：支持部、５７３：ガイド、５７４：ガイド、５７５：突出部、５８５：フレーム側支持部、７１０：信号変換部、７３０：音源部、７５０：出力部
【図１】
2018180070.tif 000003
【図２】
2018180070.tif 000004
【図３】
2018180070.tif 000005
【図４】
2018180070.tif 000006
【図５】
2018180070.tif 000007
【図６】
2018180070.tif 000008
【図７】
2018180070.tif 000009
【図８】
2018180070.tif 000010
【図９】
2018180070.tif 000011
【図１０】
2018180070.tif 000012
【図１１Ａ】
2018180070.tif 000013
【図１１Ｂ】
2018180070.tif 000014
【図１２Ａ】
2018180070.tif 000015
【図１２Ｂ】
2018180070.tif 000016
【図１３Ａ】
2018180070.tif 000017
【図１３Ｂ】
2018180070.tif 000018
【図１４Ａ】
2018180070.tif 000019
【図１４Ｂ】
2018180070.tif 000020
【図１５】
2018180070.tif 000021
【図１６】
2018180070.tif 000022
【図１７】
2018180070.tif 000023
【図１８】
2018180070.tif 000024